(57)【要約】【課題】開閉器の容器内に充填された絶縁媒体を抜き取ることなく、感度よく漏れが検知できる試験方法を提供する。【解決手段】内部に所定の圧力の絶縁媒体が充填された開閉器に所定量のヘリウムガスを追加充填し、ヘリウムガスが充填された開閉器を漏れ試験容器に収容し、所定時間経過後に上記漏れ試験容器内のヘリウムガス濃度を検出して開閉器の漏れを検出する開閉器の漏れ試験方法であり、漏れ試験後はヘリウムガスは追加充填されたまま使用するものである。【選択図】        図１
2004309336.tif 000002
【特許請求の範囲】
【請求項１】
容器内に開閉部が収容され、容器の両側部に外部接続するブッシングが取り付けられ、上記容器内部に絶縁媒体が充填された開閉器の漏れ試験方法であって、内部に所定の圧力の絶縁媒体が充填された開閉器に所定量のヘリウムガスを追加充填し、ヘリウムガスが充填された開閉器を漏れ試験容器に収容し、所定時間経過後に上記漏れ試験容器内のヘリウムガス濃度を検出して開閉器の漏れを検出することを特徴とする開閉器の漏れ試験方法。
【請求項２】
容器内に開閉部が収容され、容器の両側部に外部接続するブッシングが取り付けられ、上記容器内部に絶縁媒体が充填された開閉器を被試験体とする漏れ試験装置であって、ヘリウムガスが充填されたヘリウムガスボンベ、所定容積のリザーブタンク、上記ヘリウムガスボンベと上記リザーブ容器との間に接続された吸気バルブ、上記リザーブタンクと上記吸気バルブとの間から上記開閉器に接続された注入バルブを備えたヘリウムガス充填器具と、上記開閉器を収容する試験容器と、該試験容器を排気する排気装置と、上記試験容器内部のヘリウムガス濃度を測定するヘリウムディテクタとからなり、上記ヘリウムガス充填器具により上記被試験体に所定量のヘリウムガスを追加充填し、上記試験容器に開閉器を収容し、所定の時間経過後に、上記ヘリウムディテクタにより上記試験容器内のヘリウムガス濃度を検出して開閉器の漏れ試験を行うことを特徴とする開閉器の漏れ試験装置。
【請求項３】
上記開閉器を収容して漏れ試験を行う試験容器は、開閉器を収容する出し入れ部は可とう性のシート状部材の包囲フィルムで形成され、出し入れ部はファスナーが装着されていることを特徴とする請求項２記載の開閉器の漏れ試験装置。
【発明の詳細な説明】
【０００１】
【発明の属する技術分野】
この発明は、容器内に開閉部が収容された配電系統の電気回路を開閉する開閉器の漏れ試験方法およびその試験装置に関するものである。
【０００２】
【従来の技術】
密閉容器内に開閉部が収容された配電系統の電気回路を開閉する屋外用開閉器は、従来は絶縁性能が良好なＳＦ６ガスなどの絶縁媒体が充填されたものが使用されてきたが、ＳＦ６ガスは地球温暖化に対して影響を与えるガスであり、万一ガス漏れが生じて大気中に放出された場合には、地球環境に多大の影響を与える問題点がある。
このために、この発明の対象としている開閉器は、配電系統の比較的低電圧の開閉器であり、地球温暖化現象に影響しない空気を絶縁媒体とした構成に移行しつつある。開閉器の構成は、容器内に開閉部を収容し、容器の両側部にブッシングを取り付けて外部電気回路に接続する構成であり、その内部には絶縁媒体として空気が充填された構成である。
【０００３】
開閉器の性能を維持するためには、容器は完全に密閉状態を維持する必要がある。容器に漏れがあると、周囲温度の変化、気圧の変化、開閉器の使用時の温度上昇などによる温度変化があると、容器内と外気との間の呼吸作用により外気の湿気が容器内に浸入し、内部の絶縁部材の表面に結露が発生し、沿面放電等の絶縁破壊が発生するので、開閉器としては、容器は密閉状態が維持されることを製作段階で確認しておく必要がある。
【０００４】
従来の漏れ試験方法としては、密閉容器内に絶縁媒体を大気圧よりも高く充填し、水中に浸してバブルが発生するかどうかを確認するバブル試験法や、例えば、特許文献１に示された方法がある。特許文献１に示された方法は、対象とする容器の内部を真空引きして漏れ試験用のヘリウムガスを充填し、試験対象の容器の周囲をリークディテクタのプローブにより漏れを検出するヘリウムガス置換法による漏れ試験方法が示されている。
【０００５】
【特許文献１】
実願昭５８−６３２２４号のマイクロフィルム（実開昭５９−１６８１４４号）
【０００６】
【発明が解決しようとする課題】
上記のように、開閉器を水中に浸積してバブルの状態を確認するバブル試験法では、漏れの検出感度が低く、試験後に開閉器を乾燥させなければならない等の問題があり、作業時間が長くなる問題点があった。また、ヘリウムガス置換法では、試験対象の容器内の空気の排気、ヘリウムガスの充填、回収等の作業があり、試験するために煩雑な作業があり作業時間が長くかかる問題点があった。
【０００７】
この発明は、上記問題点を解消するためになされたものであり、開閉器の容器内に充填された絶縁媒体を抜き取ることなく、感度よく漏れの有無および漏れ量が検出できる漏れ試験方法および漏れ試験装置を提供することを目的とする。
【０００８】
【課題を解決するための手段】
この発明に係る開閉器の漏れ試験方法は、内部に所定の圧力の絶縁媒体が充填された開閉器に所定量のヘリウムガスを追加充填し、ヘリウムガスが充填された開閉器を漏れ試験容器に収容し、所定時間経過後に上記漏れ試験容器内のヘリウムガスの有無、ヘリウムガス濃度を検出して開閉器の漏れ試験を行う開閉器の漏れ試験方法である。
【０００９】
【発明の実施の形態】
実施の形態１．
漏れ試験を行う開閉器の構成は図１のように構成されている。この開閉器は容器が上部容器２と下部容器３が椀形に形成され、それぞれの開口部を対向させた構成とし、内部に開閉部が収容され、上部容器２の両側部にブッシング６が取り付けられ、操作ハンドル４により開閉操作できるように構成され、ブッシングには外部電気回路に接続される外部接続導体７がつながれている。容器２、３内部には絶縁媒体として適正圧力の空気が充填されている。このように構成された開閉器では、容器が完全に密閉状態が確保されていないと、使用中の外気との間で呼吸作用により湿気が器内に浸入し、絶縁性能が維持できなくなるため、開閉器制作時には完全な密閉構造であることを保証する漏れ試験が行われている。
【００１０】
この発明による開閉器の漏れ試験方法は、被試験体である開閉器に、漏れ検出ガスとしてヘリウムガスを追加充填して外部に漏出するヘリウムガスの濃度を検出することで漏れの有無を検出するものである。
ヘリウムガスは、浸透性がよいので漏れ試験にはよく用いられ、地球温暖化現象に影響しない安定したガスである。また絶縁性能も優れたガスであり、漏れ試験のために追加充填したヘリウムガスは、開閉器内に混在した状態であっても、開閉器の絶縁耐力が低下することがない。また、ヘリウムガスは大気中に漏れても地球環境に影響することがないので、ヘリウムガスが追加充填されたまま使用することができる。
【００１１】
実施の形態２．
実施の形態２は、実施の形態１の漏れ試験方法により試験する漏れ試験装置の実施の形態である。
図２は被試験体の開閉器にヘリウムガスを充填するヘリウムガス充填器具の構成を示す配管図であり、（ａ）はヘリウムガス充填器具の配管図、（ｂ）は充填前に所定量をリザーバタンクに取り込む状態を示し、（ｃ）は開閉器１０にヘリウムガスを充填する状態を示す。このヘリウムガス充填器具は、ヘリウムガスボンベ１１に逆止弁１２を接続し、逆止弁１２から吸気バルブ１３を介してリザーバタンク１５に接続し、吸気バルブ１３とリザーバタンク１５の間から注入バルブ１４を介して開閉器１０に接続した構成である。
【００１２】
ヘリウムガスの注入は、リザーバタンク１５の真空引きを行って空気を排気し、吸気バルブ１３を開き、ヘリウムガスを所定の圧力でリザーバタンク１５に吸気して吸気バルブ１３を閉じる「図２（ｂ）の状態」。つぎに、開閉器１０が接続された注入バルブ１４を開いて開閉器１０にヘリウムガスを充填して注入バルブ１４を閉じる「図２（ｃ）の状態」。
【００１３】
図２のヘリウムガス充填器具を用いてヘリウムガスを充填すると、開閉器１０には、リザーバタンク１５内の圧力を所定の圧力にしておけば、一定量のヘリウムガスが容易に充填できる。
【００１４】
図３はヘリウムガスが充填された開閉器１０を収納する漏れ試験容器の構成図であり、図３（ａ）は正面図、図３（ｂ）は側面図である。この漏れ試験容器は、排気管４２およびヘリウムディテクタ５０の検出部５１の取付口が設けられた枠体４１と、開閉器１０を出し入れする部分がシート状部材により形成された包囲フィルム４５からなり、出し入れする部分はファスナ４６、４７を取り付けて容易に開閉できる構成となっている。枠体４１の内部には、漏れ出たヘリウムガスを拡散させる駆動モータ４３で駆動されるファン４４が設けられている。図２のヘリウムガス充填器具と図３の漏れ試験容器で漏れ試験装置が構成される。
【００１５】
開閉器１０の漏れ試験は、つぎの手順により行う。
（１）組立が完了した開閉器１０にヘリウムガス充填器具により所定量のヘリウムガスを充填する。
（２）包囲フィルム４５のファスナ４６、４７を開封して開閉器１０を枠体４１の内部に収納し、ファスナ４６、４７を締めて密封する。
（３）排気管４２より枠体４１内の空気抜きを行う。
（４）ファン４４を回転させて所定の時間放置後にヘリウムディテクタ５０によりヘリウム濃度を計測する。
（５）ヘリウムガスが検出された場合には、計測されたヘリウム濃度と、枠体４１の内容積および放置時間から時間当たりのヘリウムガス漏れ量を計算する。
（６）ヘリウムガスの有無によりガス漏れの有無を判定し、漏れと判定された場合には、ヘリウムガスの漏れ量により、漏れ試験結果を評価する。
【００１６】
以上のように漏れ試験装置を構成すると、ヘリウムガス充填装置により、一旦リザーバタンク１５にヘリウムガスを取り込んでから開閉器１０に充填することにより、所定量のヘリウムガスが正確に容易に充填できる。
漏れ試験容器を枠体４１と包囲フィルム４５で構成し、排気管４２を設け、出し入れする部分にはファスナを取り付けた構成としたことにより、被試験体の開閉器１０の出し入れ作業が手際よく行われ、排気管４２から漏れ試験容器内部の空気を抜き取ることにより、包囲フィルム４５が開閉器１０に密着し、漏れガスの蓄積部容積が小さくなってガス検出感度を高めることができる。
【００１７】
【発明の効果】
この発明の開閉器の漏れ試験方法は、正規の状態に組み立てられた開閉器に所定量のヘリウムガスを追加充填して漏れ試験を実施し、ヘリウムガスは充填されたまま使用するものであり、ヘリウムガスを使用したことにより、漏れの検出感度が高くなり、試験後はヘリウムガスを充填したまま使用するようにしたことにより、漏れ試験が短時間で実施できる。
【００１８】
また、漏れ試験装置として、ヘリウムガスを一旦リザーバタンクに所定の圧力で取り込んでから開閉器に充填するヘリウムガス充填器具と、枠体と包囲フィルムで構成した試験容器とし、開閉器の出し入れ部にはファスナを取り付けたので、漏れ試験が手際よく実施でき、漏れ試験容器に開閉器を収容した後、漏れ試験容器内を排気して行うと漏れガスが滞留する周囲空間が小さくなり、ガス検出感度を高めることがきる。
【図面の簡単な説明】
【図１】被試験体の開閉器の構成を示す斜視図である。
【図２】ヘリウムガス充填器具の構成を示す配管図である。
【図３】漏れ試験容器の構成の構成図である。
【符号の説明】
１０  開閉器、１１  ヘリウムガスボンベ、１２  逆止弁、
１３  吸気バルブ、１４  注入バルブ、１５  リザーバタンク、４１  枠体、
４２  排気管、４３  駆動モータ、４４  ファン、４５  包囲フィルム、
５０  ヘリウムディテクタ、５１  検出部。
【図１】
2004309336.tif 000003
【図２】
2004309336.tif 000004
【図３】
2004309336.tif 000005